(57)【要約】【課題】  ペーパが切断された時自動的に任意の長さ外部に導き出されており、これを利用して簡単且つスピーディに必要な長さのペーパを引き出すことができ、衛生的なトイレットペーパホルダーを提供すること【解決手段】  ロール紙１を回転自在に保持するホルダー本体２と、ホルダー本体２の上部に回転自在に設けられて上記ロール紙１の上方を覆うカバー３とからなるトイレットペーパホルダーにおいて、上記カバー３の下面側に出入自在にペーパカッター４を設けたことを特徴とする。【選択図】        図１
2005028163.tif 000002
【特許請求の範囲】
【請求項１】
ロール紙を回転自在に保持するホルダー本体と、ホルダー本体の上部に回転自在に設けられて上記ロール紙の上方を覆うカバーとからなるトイレットペーパホルダーにおいて、上記カバーの下面側に出入自在にペーパカッターを設けたことを特徴とするトイレットペーパホルダー。
【請求項２】
ペーパカッターは板状本体と、本体の先端に形成した平面Ｖ字状、波状又は半円状の刃と、本体の後端に設けられて本体を後退方向に附勢するスプリングと、本体の上面に設けられてカバーに形成した長孔にスライド自在に挿入したつまみとを備えている請求項１に記載のトイレットペーパホルダー。
【請求項３】
カバーを上プレートと下プレートとで二重に形成し、ペーパカッターを上記上下のプレート間に出入自在に挿入した請求項１又は２に記載のトイレットペーパホルダー。
【発明の詳細な説明】
【技術分野】
【０００１】
本発明は、トイレットペーパホルダーに関し、特にロール紙の端部を外部に引き出しておくことができるようにトイレットペーパホルダーに関する。
【背景技術】
【０００２】
一般に、洋式トイレ室や和式トイレ室には、便器の附近の壁にトイレットペーパたるロール紙を保持するトイレットペーパホルダーが取付けられているが、普通このトイレットペーパホルダーは、例えば、特許文献１に開示されているように、壁に固定する取付け板と、取付け板の両側に固定した側板と、取付けた板の上部に起伏自在にヒンジ結合されてロール紙を覆う彎曲したカバーと、側板の内側面に設けられてロール紙を支える一対の支絵腕とからなるものである。
【０００３】
上記のトイレットペーパホルダーによれば、カバーの端部に刃たる切断縁が形成され、ロール紙から引き出した所定長さのペーパをカバーを手で押し込だ状態で引き上げながらその根元を上記の切断縁で水平に切断するものである。
【特許文献１】特開２００４‐２８４８２４号公報（図１）
【発明の開示】
【発明が解決しようとする課題】
【０００４】
上記した従来のトイレットペーパホルダーは、機能上特に欠陥があるわけではないが、次のような不具合の改善が望まれている。
【０００５】
第１に、カバーの切断縁で引き出したペーパの根元を水平に切断すると、ロール側の切断されたペーパ端部はカバーの切断縁の下面側にかくれてしまう。この為、次にトイレットペーパを使用するには一端カバーを手で引き上げ、更に指でロール紙を回転してその切断部位をカバーの外側に導き、次いで導き出したペーパを更に引張り込む作業が必要となる。この為ペーパの引き出し作業が面倒である。
【０００６】
第２に、上記のようにペーパの切断部位を外側に導きだした時ロールが回転するが、必要以上に回転してしまい、その結果、必要以上にペーパが引張り出されてしまうおそれがある。
【０００７】
第３に、上記の不具合を解消するため、あらかじめ任意の長さペーパを引き出し、その端部を平面Ｖ字状に折り曲げて使用する場合もある。但し、この場合でも他人が指でロール紙を回転したり、手でＶ字状に折り曲げておく為に衛生的に好ましくない。
【０００８】
そこで、本発明の目的は、ペーパが切断された時自動的に任意の長さ外部に導き出されており、これを利用して簡単且つスピーディに必要な長さのペーパを引き出すことができ、衛生的なトイレットペーパホルダーを提供することである。
【課題を解決するための手段】
【０００９】
上記の目的を達成するため、本発明の手段は、ロール紙を回転自在に保持するホルダー本体と、ホルダー本体の上部に回転自在に設けられて上記ロール紙の上方を覆うカバーとからなるトイレットペーパホルダーにおいて、上記カバーの下面側に出入自在にペーパカッターを設けたことを特徴とするものである。
【００１０】
この場合、ペーパカッターは板状本体と、本体の先端に形成した平面Ｖ字状、波状又は半円状の刃と、本体の後端に設けられて本体を後退方向に附勢するスプリングと、本体の上面に設けられてカバーに形成した長孔にスライド自在に挿入したつまみとを備えているのが好ましい。
【００１１】
同じく、カバーを上プレートと下プレートとで二重に形成し、ペーパカッターを上記上下のプレート間に出入自在に挿入するのが好ましい。
【発明の効果】
【００１２】
本発明によれば次の効果が得られる。
【００１３】
１）各請求項の発明によれば、本発明のトイレットペーパホルダーはカバーの下側にペーパカッターが出入自在に設けられているから、ペーパカッターをカバーの外側に引き出した状態でペーパを切断できる。切断後ペーパカッターをカバー内に後退させると引き出したペーパカッターの長さ分のペーパがカバーの外側に引き出された状態で残る。
【００１４】
この為、次に利用する場合にはこの引き出されペーパの部位を利用して簡単且つスピーディに必要な任意の長さのペーパを引きだすことができる。
【００１５】
２）同じく、あらかじめカバーの外側に引き出されているペーパの部位を引張れば必要な長さのペーパが引き出されるので、いちいちロール紙を指で回転する必要がなく、又この引き出されたペーパの部位は指が接触せず衛生的である。
【００１６】
３）請求項２の発明によれば、ペーパカッターで切断された部位は平面Ｖ字状、波形状又は半円状となり、指で摘みやすくなり、ペーパの引き出し操作が容易となる。又,次に使用するためにＶ字状に折り曲げる作業も解消される。
【００１７】
４）請求項４の発明によれば、ペーパカッターが二重のプレート内に収容されているから、このカバーがペーパカッターの保持とスライド用のガイドとなり、ペーパカッターが安定し、出入がスムースとなる。
【発明を実施するための最良の形態】
【００１８】
以下、本発明によるトイレットペーパホルダーの実施の形態を図に基づいて説明する。
【００１９】
図１乃至図４は、本発明によるトイレットペーパホルダーの一実施の形態を示すが、このトイレットペーパホルダーＡの基本的構造は、ロール紙１を回転自在に保持するホルダー本体２と、ホルダー本体２の上部に回転自在に設けられてロール紙１を上方から覆うカバー３とからなり、従来と同じくトイレ室の便器の附近の壁に固定されてロール紙１を保持するものである。
【００２０】
ホルダー本体２は、壁に固定する取付け板５と、取付け板５の両側に一体に固定した一対の側板６,６と、測板６，６の内側に設けた孔７,７内に回転自在に軸支されてロール紙１の中央を支持する一対の支持腕８,８とで構成されている。
【００２１】
カバー３は、各側板６,６の基端内側に軸９を介して回転自在に軸支され、任意の間隔を置いて配置した彎曲した上プレート１０と下プレート１１とからなっている。但し、上プレート１０のみで構成しても良い。
【００２２】
本発明の特徴は、図３に示すように、上プレート１０と下プレート１１との間に彎曲したプレート状のペーパカッター４を出入自在に設けたことである。
【００２３】
ペーパカッター４は、板状の本体４ａと、本体４ａの先端に形成した平面Ｖ字状の刃４ｂと、本体４ａの後端に設けられて上プレート１０の後部に支持されたスプリング１２と、本体４ａの上面に設けられて上プレート１０に形成した長孔１３にスライド自在に挿入したつまみ１５とを備えている。
【００２４】
次に、使用方法について説明すると、ホルダー本体２内にトイレットペーパたるロール紙１を装着する場合は従来と同じくホルダー本体２の下方からロール紙１を押し上げると支持腕８,８が押し上げられて孔７,７に回転しながら侵入し、更にロール紙１が押し上げられるとロール紙１を巻き付けているパイプ１６内に支持腕８,８が復帰して侵入し、以後この支持腕８,８でロール紙１が支えられる。
【００２５】
装着したばかりのロール紙１を最初に使用する時は、カバー３を押し上げ、ロール紙１を回転してその端部１ａをカバー３の外側に所定の長さ引き出しおく。
【００２６】
この状態でつまみ１５をカバー３の長孔１３に沿ってペーパカッター４を、例えば、図１に示すように実線の位置から点線位置までスプリング１２に抗してスライドしてペーパカッター４を引き出す。
【００２７】
この時、ペーパカッター４の本体４ａの一部と刃４ｂがペーパの端部１ａ上に対向し、この状態で図３に示すように、刃４ｂを支点にしてペーパの端部１ａを上方に引張り込むとこれが刃４ｂによって図４（イ）に示すようにＶ字状に切断される。
【００２８】
切断されたペーパは、使用後便器内に廃棄されるが、図４（ロ）に示すようにロール紙１側にはペッパーカッター４が引き出された分の長さに対応する平面Ｖ字状の引き出し片１ｂが残る。
【００２９】
この状態でつまみ１５から指をはずすとペーパカッター４はスプリング１２に引張られて元の位置に復帰する。
【００３０】
そして、この状態では、図４（ロ）に示すように、上記のように残った引き出し片１ｂはカバー３の外部に抜け出ているため、以後はこの引き出し片１ｂを引張るだけでカバーを押し上げたり、ロール紙１を回転させることなく必要な長さのペーパを引き出すことができる。
【００３１】
この引き出し片１ｂは、刃がＶ字状の場合、その先端が平面Ｖ字状となるが、刃を半円状、波形その他の形状にすることに指で引き出しやすい形状に設定することが可能となる。
【図面の簡単な説明】
【００３２】
【図１】本発明に係るトイレットカーバホルダーの一部切欠き斜視図である。
【図２】トイレットペーパホルダーの分解斜視図である。
【図３】トイレットペーパホルダーの縦断側面図である。
【図４】（イ）（ロ）は使用状態の略字斜視図である。
【符号の説明】
【００３３】
１  ロール紙
２  ホルダー本体
３  カバー
４  ペッパーカッター
４ａ  本体
４ｂ  刃
５  取付け板
６  側板
７  孔
８  支持腕
１０，１１  プレート
１２  スプリング
１３  長孔
１５  つまみ
【図１】
2005028163.tif 000003
【図２】
2005028163.tif 000004
【図３】
2005028163.tif 000005
【図４】
2005028163.tif 000006